(57)【要約】【課題】表示されているボタンを、他のウィンドウを例えば全画面表示で開いたときに確実に隠してしまうという課題を解決する。【解決手段】ウィンドウが全画面表示で開く際に、隠れてしまうボタンをそのアプリケーション自体に設け、または、ウィンドウが全画面表示で開く際に、隠れてしまうボタンをフローティングで表示し、または、アプリケーションのある座標を押下することでそのボタンが押下されたとみなし、当該動作をさせる。【選択図】        図１
2006107301.tif 000002
【特許請求の範囲】
【請求項１】
文書入力、文書出力、文書格納、文書送受信、画像変換等の機能を有する画像処理装置に接続してその機能と柔軟性を拡張し、また、自身特有の機能を実現するためのＷｅｂブラウザアプリケーションなどのアプリケーションを持つ拡張制御装置において、
前記拡張制御装置の操作部において、ソフトウェアキーボードを表示するための、非アプリケーション表示部分に表示されるキーボード表示ボタンと、
操作部上のアプリケーション表示部分に表示される前記Ｗｅｂブラウザアプリケーションとを備え、
前記Ｗｅｂブラウザアプリケーションは自身の画面を操作部全画面に表示を行う全画面表示手段を持ち、前記全画面表示手段によってＷｅｂブラウザアプリケーションが全画面表示になった際には、前記Ｗｅｂブラウザアプリケーションがキーボード表示ボタンを前記Ｗｅｂブラウザアプリケーションに表示するキーボード表示ボタン生成・表示手段とを持つ、
ことを特徴とする拡張制御装置。
【請求項２】
文書入力、文書出力、文書格納、文書送受信、画像変換等の機能を有する画像処理装置に接続してその機能と柔軟性を拡張し、また、自身特有の機能を実現するためのＷｅｂブラウザアプリケーションなどのアプリケーションを持つ拡張制御装置において、
前記拡張制御装置の操作部において、ソフトウェアキーボードを表示するための、非アプリケーション表示部分に表示されるキーボード表示ボタンと、
操作部上のアプリケーション表示部分に表示される前記Ｗｅｂブラウザアプリケーションとを備え、
前記Ｗｅｂブラウザアプリケーションは操作部全画面に表示を行う全画面表示手段を持ち、
前記全画面表示手段によってＷｅｂブラウザアプリケーションが全画面表示になった時に、キーボード表示ボタンをフローティングで表示するフローティング表示手段を持つ、
ことを特徴とする拡張制御装置。
【請求項３】
文書入力、文書出力、文書格納、文書送受信、画像変換等の機能を有する画像処理装置に接続してその機能と柔軟性を拡張し、また、自身特有の機能を実現するためのＷｅｂブラウザアプリケーションなどのアプリケーションを持つ拡張制御装置において、
前記拡張制御装置の操作部において、ソフトウェアキーボードを表示するための、非アプリケーション表示部分に表示されるキーボード表示ボタンと、
操作部上のアプリケーション表示部分に表示される前記Ｗｅｂブラウザアプリケーションとを備え、
前記Ｗｅｂブラウザアプリケーションは操作部全画面に表示を行う全画面表示手段を持ち、
前記全画面表示手段によってＷｅｂブラウザアプリケーションが全画面表示になった状態で、
前記拡張制御装置の操作部上のある特定の座標を押下された場合に、ソフトウェアキーボードを表示する特定座標キーボード表示手段を持つ、
ことを特徴とする拡張制御装置。
【発明の詳細な説明】
【技術分野】
【０００１】
本発明は、文書入力、文書出力、文書格納、文書送受信、画像変換等の機能を有する画像処理装置に接続してその機能と柔軟性を拡張し、また、自身特有の機能を実現する、拡張制御装置に関するものである。
【背景技術】
【０００２】
従来の技術としては、特許文献１に記載の発明が公知である。本公報に記載の発明は表示されているテキストなどを、ウィンドウが隠してしまう場合に、表示するウィンドウやテキストのサイズ、表示方法を調整し、テキストが隠れないようにするものである。
【特許文献１】特開平８−１３７６５５公報
【発明の開示】
【発明が解決しようとする課題】
【０００３】
しかしながら、従来の技術では、ウィンドウや表示されているテキストのサイズを変更してしまうため、表示画面自体が見にくくなってしまうなどの問題があった。
【０００４】
本発明は、以上の点に着目して成されたもので、表示したウィンドウやテキストなどの他のデータのサイズ、表示方法などを変更したり、位置を変更したりすること無く、常にキーボード表示ボタンを表示でき、操作することができる拡張制御装置を提供することを目的とする。
【課題を解決するための手段】
【０００５】
この発明は下記の構成を備えることにより上記課題を解決できるものである。
【０００６】
（１）文書入力、文書出力、文書格納、文書送受信、画像変換等の機能を有する画像処理装置に接続してその機能と柔軟性を拡張し、また、自身特有の機能を実現するためのＷｅｂブラウザアプリケーションなどのアプリケーションを持つ拡張制御装置において、前記拡張制御装置の操作部において、ソフトウェアキーボードを表示するための、非アプリケーション表示部分に表示されるキーボード表示ボタンと、操作部上のアプリケーション表示部分に表示される前記Ｗｅｂブラウザアプリケーションとを備え、前記Ｗｅｂブラウザアプリケーションは自身の画面を操作部全画面に表示を行う全画面表示手段を持ち、前記全画面表示手段によってＷｅｂブラウザアプリケーションが全画面表示になった際には、前記Ｗｅｂブラウザアプリケーションがキーボード表示ボタンを前記Ｗｅｂブラウザアプリケーションに表示するキーボード表示ボタン生成・表示手段とを持つ、ことを特徴とする拡張制御装置。
【０００７】
（２）文書入力、文書出力、文書格納、文書送受信、画像変換等の機能を有する画像処理装置に接続してその機能と柔軟性を拡張し、また、自身特有の機能を実現するためのＷｅｂブラウザアプリケーションなどのアプリケーションを持つ拡張制御装置において、前記拡張制御装置の操作部において、ソフトウェアキーボードを表示するための、非アプリケーション表示部分に表示されるキーボード表示ボタンと、操作部上のアプリケーション表示部分に表示される前記Ｗｅｂブラウザアプリケーションとを備え、前記Ｗｅｂブラウザアプリケーションは操作部全画面に表示を行う全画面表示手段を持ち、前記全画面表示手段によってＷｅｂブラウザアプリケーションが全画面表示になった時に、キーボード表示ボタンをフローティングで表示するフローティング表示手段を持つ、ことを特徴とする拡張制御装置。
【０００８】
（３）文書入力、文書出力、文書格納、文書送受信、画像変換等の機能を有する画像処理装置に接続してその機能と柔軟性を拡張し、また、自身特有の機能を実現するためのＷｅｂブラウザアプリケーションなどのアプリケーションを持つ拡張制御装置において、前記拡張制御装置の操作部において、ソフトウェアキーボードを表示するための、非アプリケーション表示部分に表示されるキーボード表示ボタンと、操作部上のアプリケーション表示部分に表示される前記Ｗｅｂブラウザアプリケーションとを備え、前記Ｗｅｂブラウザアプリケーションは操作部全画面に表示を行う全画面表示手段を持ち、前記全画面表示手段によってＷｅｂブラウザアプリケーションが全画面表示になった状態で、前記拡張制御装置の操作部上のある特定の座標を押下された場合に、ソフトウェアキーボードを表示する特定座標キーボード表示手段を持つ、ことを特徴とする拡張制御装置。
【発明の効果】
【０００９】
本発明によれば、３つの実施例で説明するように、本発明により、表示したウィンドウやテキストなどの他のデータのサイズ、表示方法などを変更したり、位置を変更したりすること無く、常にキーボード表示ボタンを表示でき、操作することができる。また、３通りの実施方法により、ユーザに、より適切な表示方法を提供できる。
【発明を実施するための最良の形態】
【００１０】
以下本発明を実施するための最良の形態を、実施例により詳しく説明する。
【実施例１】
【００１１】
第１の実施例を説明する。ここでは、請求項１にあるように、拡張制御装置においてブラウザの全画面表示が行われたときに、キーボード表示ボタンをＷｅｂブラウザアプリケーションのウィンドウ上に設けた場合の実施例について説明する。なお、ここで示す構成は一例であり図示の構成に限定されるものではない。
【００１２】
図１は、画像処理システムが利用されるネットワーク環境の一例を示す模式図である。
【００１３】
画像処理システム１０は画像処理装置１００と拡張制御装置１０３から構成されるシステムであり、文書入力、文書出力、文書格納、文書送受信、画像変換等の機能を有する画像処理装置１００に対してさらに拡張された機能を提供する。画像処理装置１００と拡張制御装置１０３はそれぞれＬＡＮ４００に接続され、ＬＡＮ４００を介して他のネットワークノードと通信する。
【００１４】
クライアントパーソナルコンピュータ（ＰＣ）１１は個人向けの情報処理装置であり、主にユーザの机上に置かれ各種のアプリケーションプログラムが実行される。クライアントＰＣ１１はＬＡＮ４００に接続され、ＬＡＮ４００を介して他のネットワークノードが提供するサービスを利用したり、他のネットワークノードにサービスを提供したりする。
【００１５】
サーバコンピュータ１２は大規模な情報処理装置であり、ＬＡＮ４００に接続され、ＬＡＮ４００を介して主に他のネットワークノードに対するサービスを提供する。
【００１６】
プリンタ１３はネットワーク対応した周辺機器であり、ＬＡＮ４００に接続され、ＬＡＮ４００を介して他のネットワークノードに対して画像形成装置のサービスを提供する。
【００１７】
ルータ１５はネットワークとネットワークを接続するネットワークノードであり、インターネットやバーチャルプライベートネットワークなどの広域ネットワーク１６とＬＡＮ４００とを接続する。
【００１８】
ＬＡＮ４００はユーザのオフィスなどに敷設されたローカルエリアネットワークである。
【００１９】
図２は、画像処理装置と拡張制御装置の組み合わせによって構成された画像処理システムのブロック図である。
【００２０】
画像処理装置１００は、文書入力、文書出力、文書格納、文書送受信、画像変換等各種の基本的な画像処理機能を提供する。
【００２１】
リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００２２】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００２３】
制御装置１１０は、リーダー部２００、プリンタ部３００と電気的に接続され、さらにＬＡＮ４００にと接続されている。制御装置１１０は、リーダー部２００を制御して、原稿の画像データを読込み、プリンタ部３００を制御して画像データを記録用紙に出力してコピー機能を提供する。また、リーダー部２００から読み取った画像データを、コードデータに変換し、ＬＡＮ４００を介して図示しないホストコンピュータへ送信するスキャナ機能、ホストコンピュータからＬＡＮ４００を介して受信したコードデータを画像データに変換し、プリンタ部３００に出力するプリンタ機能を提供する。
【００２４】
操作部１５０は、制御装置１１０に接続され、液晶タッチパネルで構成され、画像入出力システムを操作するためのユーザＩ／Ｆを提供する。
【００２５】
拡張制御装置１０３は制御装置本体１７０と操作部１７１と周辺機器１７２から構成される。制御装置本体１７０は、よく知られているパーソナルコンピュータと同等のハードウェアアーキテクチャで構成され、汎用オペレーティングシステムや各種デバイスドライバや各種アプリケーションプログラムを含む一般的なソフトウェアを実行することができる。操作部１７１はユーザが拡張制御装置１０３を操作するためのユーザインタフェースを提供する。周辺機器１７２は一般的なパーソナルコンピュータ用に提供されている各種の周辺機器であり、拡張制御装置１０３のハードウェアを拡張する。
【００２６】
画像処理装置１００と拡張制御装置１０３はＬＡＮ４００を介して接続され相互に通信できる。ローカルインタフェース２０１は両者の間に専用の通信経路を提供するためのオプションインタフェースであり、ＵＳＢや専用バスなどによって実装される。
【００２７】
図３（ａ），（ｂ）は、画像処理装置と拡張制御装置の組み合わせによって構成された画像処理システムの外観図である。
【００２８】
画像処理装置１００は各種の画像処理機能を提供する複合機である。制御装置１７０は画像処理装置１００の背面に設置される。操作部１７１は透明タッチパネルを表面に貼った液晶ディスプレイであり、制御装置１７０と電気的に接続されている。周辺機器１７２は制御装置１７０と電気的に接続されたＩ／Ｏ装置であり、たとえばＩＣカードリーダライタ、メモリメディアドライブなどである。拡張制御装置１０３の操作部１７１と周辺機器１７２は専用スタンドに設置され、画像処理装置１００の前に立ったユーザによって容易に操作できるように配置されている。
【００２９】
図４は、画像処理装置の制御装置１１０のハードウェア構成を示すブロック図である。
【００３０】
メインコントローラ１１１は、主にＣＰＵ１１２と、バスコントローラ１１３、各種Ｉ／Ｆコントローラ回路とから構成される。
【００３１】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００３２】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００３３】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００３４】
Ｇｒａｐｈｉｃ  Ｐｒｏｃｅｓｓｏｒ１３５は、画像回転、変倍処理、色空間変換等の処理を行う。
【００３５】
外部通信Ｉ／Ｆ１２１はＩ／Ｆ１２３によってメインコントローラ１１１と接続され、コネクタ１２２によって外部ネットワークと接続される。
【００３６】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３７】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３８】
パネルＩ／Ｆ１３２は、ＬＣＤコントローラ１３１に接続され、図２に示す操作部１５０上の液晶画面に表示を行うためのＩ／Ｆと、ハードキーやタッチパネルキーの入力を行うためのキー入力Ｉ／Ｆ１３０とから構成される。
【００３９】
図２に示す操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ１３２から送られてきた画像データを表示するものである。液晶表示部には、本画像処理装置の操作における機能表示や画像データ等を表示する。
【００４０】
リアルタイムクロックモジュール１３３は、機器内で管理する日付と時刻を更新／保存するためのもので、バックアップ電池１３４によってバックアップされている。
【００４１】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込ませたりする動作を行う。
【００４２】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００４３】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。
【００４４】
スキャナバス１４１からＤＲＡＭ１１６へのデータ転送は、バスコントローラ１１３によって制御される。
【００４５】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４６】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００４７】
図５は、画像処理装置のコントローラのソフトウェアのモジュール構造を示すブロック図である。
【００４８】
画像処理装置に内蔵されるコントローラ部１１０によって処理されるソフトウェアは、いわゆるファームウェアとして実装されており、装置のＣＰＵ１１２によって実行される。
【００４９】
リアルタイムＯＳ５００１はリアルタイムオペレーティングシステムであり、組み込みシステムの制御に最適化された各種資源管理のサービスと枠組みをその上で動作するソフトウェアのために提供する。リアルタイムＯＳが提供する各種資源管理のサービスと枠組みには、ＣＰＵによる処理の実行コンテクストを複数管理することによって複数の処理を実質的に並行動作させるマルチタスク管理（スレッド管理）、タスク間の同期やデータ交換を実現するタスク間通信、メモリ管理、割り込み管理、各種のデバイスドライバ、ローカルインタフェースやネットワークや通信などの各種プロトコルの処理を実装したプロトコルスタック、などがある。
【００５０】
ファイルシステム５００２はハードディスクやメモリなどの記憶装置上に構築されたデータを格納するための機構である。画像処理装置内のコントローラ部１１０が扱うジョブをスプールしたり各種データを保存したりするために用いる。
【００５１】
ジョブ制御・装置制御モジュール５００３は、画像処理装置のハードウェアを制御し、また、画像処理装置の主にハードウェアが提供する基本機能（プリント、スキャン、通信、画像変換など）を利用するジョブを制御する。
【００５２】
管理モジュール５００４は画像処理装置内のコントローラ部１１０の動作に係る内部状態を制御するなど、コントローラの動作を管理する。
【００５３】
制御ＡＰＩ５００５は、この層よりも下位のソフトウェアモジュール群が提供するサービスをこの層よりも上位の組み込みアプリケーション群が利用するために設けられたアプリケーションプログラミングインタフェースである。
【００５４】
ネットワークサービス５００６は、制御ＡＰＩ５００５とネットワークプロトコルとを相互変換することによって、クライアントＰＣなど外部のネットワークノードから装置の基本機能を利用可能とする。また特にネットワークプリントのための各種プロトコル（ＬＰＲ、ＮｅｔＷａｒｅ、ＳＭＢ、ＰＡＰ、ＩＰＰなど）を実装したネットワークサーバ機能を備え、クライアントＰＣなど外部のネットワークノードからのプリントジョブの投入を可能とする。
【００５５】
組み込みアプリケーションロジック５００７、プレゼンテーションインタフェース５００８、組み込みアプリケーションＵＩ５００９は、組み込みアプリケーションを構成する。組み込みアプリケーションは、画像処理装置の基本機能に加えてさらにコピー、画像スキャン、文書送受信、文書ファイリングなどの上位機能を、制御ＡＰＩの基本機能を利用して実現する。組み込みアプリケーションロジック５００７は、組み込みアプリケーションのビジネスロジック部分に相当する。プレゼンテーションインタフェース５００８は組み込みアプリケーションのビジネスロジックとプレゼンテーションロジックを分離するために設けられたインタフェースである。組み込みアプリケーションＵＩ５００９は組み込みアプリケーションのプレゼンテーションロジックに相当し、ユーザによる組み込みアプリケーションの操作を可能とするためにグラフィカルユーザインタフェース（ＧＵＩ）の表示や入力の制御を行う。組み込みアプリケーションＵＩ５００９は、画像処理装置の操作部１５０上にローカルなユーザインタフェースを提供するだけでなく、ＨＴＭＬなどのマークアップ言語とＨＴＴＰなどのＷｅｂ技術を用いて実現したＷｅｂアプリケーションも提供する。ユーザはクライアントＰＣなどの上で動作するＷｅｂブラウザからこのＷｅｂアプリケーションに接続して、画像処理装置を遠隔操作できる。Ｗｅｂアプリケーションとして実装した組み込みアプリケーションのプレゼンテーション層のことをここではリモートＵＩと呼ぶ。
【００５６】
組み込みＪａｖａ（登録商標）環境５０１０は、Ｊａｖａ(登録商標)仮想機械を中心に構成されるインタプリタ環境である。組み込みＪａｖａ(登録商標)環境５０１０はＪａｖａ(登録商標)のバイトコードで記述された命令列データを実行時に読み込み結合し、Ｊａｖａ(登録商標)仮想機械が命令を逐次的に読み込み解釈し実行するように構成されている。したがって、リアルタイムＯＳも含めてあらかじめ全体が単一のロードモジュールに静的結合されているファームウェア上にあって、ごく部分的ながらソフトウェアを動的に追加したり入れ替えたりできる拡張性や柔軟性を確保できる。リアルタイムＯＳやジョブ制御・装置制御ＡＰＩなどを含むファームウェア（ネイティブシステム）の資源やサービスをＪａｖａ(登録商標)のプログラムから利用可能なように構成したＪａｖａ(登録商標)のクラスライブラリ群が、Ｊａｖａ(登録商標)  Ｎａｔｉｖｅ  Ｉｎｔｅｒｆａｃｅ（ＪＮＩ）によって提供されている。Ｊａｖａ(登録商標)環境５０１０の基本部分は、よく知られているＪａｖａ(登録商標)  ２  Ｐｌａｔｆｏｒｍ，Ｍｉｃｒｏ  Ｅｄｉｔｉｏｎによって構築されている。
【００５７】
図６は、画像処理装置の操作部の表示部に表示される基本画面を示す説明図である。
【００５８】
尚、この画面はタッチパネルとなっており、それぞれ表示される機能の枠内を触れることにより、その機能が実行される。コピーモードキー５２４は、複写動作を行う場合に押すキーである。そして、このコピーモードキー５２４が押されたときに、５３０に示すコピーモードの画面を表示する。拡張機能キー５０１は、このキーを押すことによって両面複写、多重複写、移動、綴じ代の設定、枠消しの設定等のモードに入る。
【００５９】
５４０は、ステータスラインであり、機器の状態や印刷情報を示すメッセージを表示する。本図の場合、コピー待機中であることを示している。
【００６０】
画像モードキー５０２は、複写画像に対して網掛け、影付け、トリミング、マスキングを行うための設定モードに入る。ユーザモードキー５０３は、モードメモリの登録、標準モード画面の設定が行える。応用ズームキー５０４は、原稿のＸ方向、Ｙ方向を独立に変倍するモード、原稿サイズと複写サイズから変倍率を計算するズームプログラムのモードに入る。Ｍ１キー５０５、Ｍ２キー５０６、Ｍ３キー５０７は、それぞれに登録されたモードメモリを呼び出す際に押すキーである。オプションキー５０９は、フィルムから直接複写するため、フィルムプロジェクタ等のオプション機能の設定を行うキーである。ソータキー５１０は、ソート、ノンソート、グループの設定を行うキーである。原稿混載キー５１１は、原稿フィーダにＡ４サイズとＡ３サイズ、またはＢ５サイズとＢ４サイズの原稿を一緒にセットする際に押すキーである。等倍キー５１２は、複写倍率を１００％にする際に押すキーである。縮小キー５１４、拡大キー５１５は、定型の縮小、拡大を行う際に押すキーである。用紙選択キー５１３は、複写用紙の選択を行う際に押すキーである。濃度キー５１８、５２０は、キー５１８を押す毎に濃く複写され、濃度キー５２０を押す毎に薄く複写される。濃度表示５１７は、濃度キー５１８、５２０を押すと表示が左右に変化する。ＡＥキー５１９は、新聞のように地肌の濃い原稿を自動濃度調整複写するときに押すキーである。ＨｉＦｉキー５２１は、写真原稿のように中間調の濃度が濃い原稿の複写の際に押すキーである。文字強調キー５２２は、文字原稿の複写で文字を際だたせたい場合に押すキーである。５６０は履歴キーであり、これを押下することで、印刷済みのジョブの履歴情報を表示する。たとえば、印刷ジョブの、終了時刻、ユーザ名、ファイル名、印刷枚数等の情報を表示する。６００は、プリンタ選択キーであり、リモートコピーや重連コピーを行う場合の受信側複写機を選択する際に押すキーである。
【００６１】
ガイドキー５２３は、あるキーの機能がわからないとき押すキーであり、そのキーの説明が表示される。ファックスキー５２５は、ファックスを行うときに押すキーであり、Ｂｏｘキー５２６は、Ｂｏｘ機能を表示させたいときに押すキーである。プリンタキー５２７は、リモートのホストコンピュータからのＰＤＬデータのプリント出力詳細情報を参照したい場合に押すキーである。
【００６２】
図７は、拡張制御装置のハードウェア構成を示すブロック図である。
【００６３】
メインＣＰＵ４１０１は、全体の制御を行う中央演算装置であり、ＲＯＭ４１０５およびハードディスクユニット４１０６に記憶されたプログラムを実行する。ネットワークインタフェース４１０２は、他の機器との間でネットワークを介したデータ通信を行うための制御部である。ＣＰＵ４１０１によって実行されるソフトウェアは、ＬＡＮ４００を介して、印刷デバイスや他のネットワーク機器、あるいは他のコンピュータと双方向のデータのやり取りを行うことができる。周辺機器インタフェース４１０３は、周辺機器の制御を行うための制御部である。メモリ４１０４は、ＣＰＵ４１０１で実行する命令や、データなどを保存するための、一般的には揮発性の記憶部である。ＲＯＭ４１０５は、基本的なハードウェア制御を行うためのプログラムやデータなどを保存するための読み取り専用記憶部である。ハードディスクユニット４１０６は、計算機４１００本体で実行されるプログラムや演算されたデータなどを保存するための、一般的には不揮発性の記憶部である。ブートプログラム（起動プログラム：ハードやソフトの実行（動作）を開始するプログラム）、複数のアプリケーション、編集ファイル、ユーザファイルそしてネットワーク管理プログラム等を記憶する。ディスプレイインタフェース４１０７は、拡張制御装置の内部状態や、実行状態などを表示するための表示部を接続するため制御部である。キーボードインタフェース４１０８やマウスインタフェース４１０９は、計算機４１００に対してユーザがデータや命令を入力するための入力装置を接続できる。周辺機器インタフェース４１０３は、ＵＳＢ、ＲＳ−２３２Ｃシリアル、ＩＥＥＥ１３９４などの仕様を実装した周辺機器１７２を接続するための制御部である。周辺機器１７２は、例えば、ＣＤ−ＲＯＭドライブやメモリメディアドライブなどの外部記憶装置や、ユーザを特定するためのユーザ認証装置などである。操作部１７１は液晶ディスプレイ４２０３とその表面に透明なシート状に貼られたタッチパネル４２０２とから構成される。タッチパネル４２０２はマウスと同様のポインティングデバイスである。ＣＰＵ４１０１で実行されるソフトウェアはタッチパネル４２０２によってユーザがポイントした表示上の位置を座標データとして検出することができる。タッチパネル４２０２は周辺機器インタフェース４１０３によって駆動される。液晶ディスプレイ４２０３は拡張制御装置の内部状態や、実行状態などを表示するための表示部である。ＣＰＵ４１０１で実行されるソフトウェアは液晶ディスプレイ４２０３上にグラフィカルユーザインタフェースを描画できる。液晶ディスプレイ４２０３はディスプレイインタフェース４１０７によって駆動される。
【００６４】
図８は、拡張制御装置内のアプリケーションが画像処理装置とインタフェースするためのＡＰＩを示す図である。
【００６５】
図のブロックは拡張制御装置本体１０３のＣＰＵ４１０１によって実行されるソフトウェアのプログラム的なモジュールに対応する。
【００６６】
アプリケーション８００１は拡張制御装置本体１０３で実行される各種アプリケーションに対応する。
【００６７】
ＡＰＩ８００２はアプリケーション８００１が画像処理装置内のコントローラ１１０部上のソフトウェアとインタフェースするためのアプリケーションプログラムインタフェースである。
【００６８】
プリンタドライバ８００３はアプリケーション８００１によるプリントを可能とするモジュールである。プリントを実現するために、プリントサービスのプロトコルに従って実装されたクライアントとして、画像処理装置のネットワークサービス５００６とインタフェースする。
【００６９】
スキャナドライバ８００４はアプリケーション８００１による画像スキャンを可能とするモジュールである。スキャンを実現するために、画像処理装置内の制御ＡＰＩ５００５に相当するプロトコルにしたがって実装されたクライアントとして、制御ＡＰＩ５００５とインタフェースする。
【００７０】
ジョブ制御・装置制御インタフェース８００５はアプリケーション８００１による基本的なジョブ制御と装置制御を可能とするモジュールである。基本的なジョブ制御と装置制御を実現するために、画像処理装置内の制御ＡＰＩ５００５に相当するプロトコルにしたがって実装されたクライアントとして、制御ＡＰＩ５００５とインタフェースする。
【００７１】
プレゼンテーション拡張インタフェース８００６は、アプリケーション８００１による画像処理装置内組み込みアプリケーションＵＩ５００９の拡張を可能とするためのモジュールである。このモジュールは、プレゼンテーションインタフェース５００８に相当するプロトコルにしたがって実装されたクライアントとして、プレゼンテーションインタフェース５００８とインタフェースする。このモジュールが提供するＡＰＩによって、拡張制御装置内のアプリケーション８００１は、画像処理装置に組み込まれた組み込みアプリケーションのＵＩ５００９に相当するプレゼンテーションロジック（つまりアプリケーションのＵＩ）を実装することができる。また、アプリケーション８００１の実装次第で、組み込みアプリケーションＵＩ５００９にはない機能を拡張したりカスタマイズしたりすることもできる。
【００７２】
組み込みアプリケーション拡張インタフェース８００７は、アプリケーション８００１による画像処理装置内組み込みアプリケーションロジック５００７のカスタマイズを可能とするためのモジュールである。このモジュールは、組み込みアプリケーションロジック内部が備えるプラグインのためのインタフェース（不図示）に相当するプロトコルにしたがって実装されたクライアントであり、組み込みアプリケーションロジック５００７とインタフェースする。このモジュールが提供するＡＰＩによって、拡張制御装置内のアプリケーション８００１は、画像処理装置に組み込まれた組み込みアプリケーションのビジネスロジック５００７の一部を置き換えたり拡張したりするプラグインを実装することができる。
【００７３】
画像ジョブ制御インタフェース８００８は、アプリケーション８００１による特に高速の画像処理を可能とするためのモジュールである。このモジュールは、ジョブ制御・装置制御モジュール内部の内部ＡＰＩに相当するプロトコルにしたがって実装されたクライアントであり、また、ローカルインタフェース２０１による画像転送を組み合わせることによって、拡張制御装置と画像処理装置の間で画像や文書をやり取りするジョブの高速化を達成する。
【００７４】
図９は、拡張制御装置のソフトウェアのモジュール群の階層構造を示すブロック図である。
【００７５】
汎用オペレーティングシステム（ＯＳ）９００１は拡張制御装置のオペレーティングシステムである。リアルタイムＯＳと異なり汎用ＯＳは主に情報処理装置やコンピュータの土台を提供するソフトウェアとして開発されてきている。汎用ＯＳの例として、Ｗｉｎｄｏｗｓ(登録商標)、ＭａｃＯＳ、Ｓｏｌａｒｉｓ、Ｌｉｎｕｘ、ＦｒｅｅＢＳＤ、ＮｅｔＢＳＤ、ＯｐｅｎＢＳＤなどがある。汎用ＯＳ９００１は拡張制御装置が備えるハードウェア的およびソフトウェア的な各種資源を抽象化して、より上位のソフトウェアから容易かつ効率的に利用可能とする。汎用ＯＳが提供する機構にはたとえば以下がある。
【００７６】
すなわち、ＣＰＵによる処理の実行コンテクストを複数管理することによって複数の処理を実質的に並行動作させるマルチプロセス機構やスレッド機構、プロセス間およびスレッド間の同期やデータ交換を実現するプロセス間通信やスレッド間通信、プロセスごとに保護されたメモリ管理、割り込み管理、各種のデバイスドライバ、ローカルインタフェースやネットワークや通信などの各種プロトコルの処理を実装したプロトコルスタック、などが提供される。特筆すべきは、市販されている一般のコンピュータ周辺機器のデバイスドライバは汎用ＯＳ用のものが多く提供されていることである。
【００７７】
この理由は、一般にコンピュータ周辺機器は汎用ＯＳが稼動するパーソナルコンピュータなど汎用の情報処理装置のために開発されるためである。汎用ＯＳを採用することで、市場に出回っている多種多様なコンピュータ周辺機器のハードウェアとデバイスドライバをそのまま、または比較的容易に、拡張制御装置１０３のために流用することができる。拡張制御装置１０３は画像処理装置１００の拡張性や柔軟性を補うために付加されるアクセサリであるが、その目的は汎用の情報処理装置と同等のハードウェア構成を採用するだけでなくさらにソフトウェア的には汎用のＯＳを採用することによってより効率的に達成される。
【００７８】
拡張コントローラプラットフォーム９００２は拡張制御装置１０３のソフトウェアの動作環境を提供する土台となるソフトウェア（ライブラリ、フレームワーク、およびランタイムモジュールなど）である。また、画像処理装置１００に内蔵された組み込みアプリケーションと連携するアプリケーションを拡張制御装置１０３内に容易に構築可能とするために用意されたユーティリティライブラリ、フレームワーク、およびランタイムモジュール群を含む。
【００７９】
システムアプリケーション９００４は拡張制御装置１０３に標準搭載され、ユーザによる画像処理システムの利用や管理を助けるためのユーティリティアプリケーション群である。
【００８０】
ユーザランドアプリケーション９００５に分類されるアプリケーション群は、画像処理システムの拡張された機能をユーザに提供するためのアプリケーション群である。ユーザランドアプリケーション９００５に分類されるアプリケーションはアプリケーションを単位としてインストールによって追加することもアンインストールによって削除することも可能である。また、アプリケーションプログラムの実体だけでなく、ユーザがそのアプリケーションプログラムを実行する許諾（ライセンス）を購入したときのみアプリケーションを活性化（アクティベート）するように制御することもできる。
【００８１】
ＭＦＰ統合アプリケーション９００６は画像処理装置１００の組み込みアプリケーションに対応するユーザランドアプリケーションであり、画像処理装置１００が提供する上位機能や基本機能を拡張制御装置から利用可能とする。ＭＦＰ統合アプリケーション９００６はプレゼンテーション拡張インタフェース８００６や組み込みアプリケーション拡張インタフェース８００７によって、画像処理装置１００の組み込みアプリケーションとインタフェースする。ＭＦＰ統合アプリケーション９００６は単に画像処理装置１００の組み込みアプリケーションとまったく同様な機能性やユーザインタフェースを提供するだけでなくそれらを拡張して提供することもできる。ＭＦＰ統合アプリケーションは９００６から９０１２のアプリケーション部品を内部に含み統合している。
【００８２】
コピー９００７は画像処理装置１００の組み込みアプリケーションの一機能であるコピー機能に相当するアプリケーション部品である。
【００８３】
ボックス９００８は画像処理装置１００の組み込みアプリケーションの一機能である文書ファイリング機能に相当するアプリケーション部品である。
【００８４】
送信９００９は画像処理装置１００の組み込みアプリケーションの一機能である文書送受信機能に相当するアプリケーション部品である。
【００８５】
ポータル９０１０はユーザの好みに応じてよく使う機能や定型処理を簡単に呼び出すための入り口を提供するアプリケーション部品である。ＭＦＰ統合アプリケーション９００６のアプリケーション部品をまたがって動作パラメータの設定や一連の操作などをマクロ化し、複数のマクロを実行するためのカスタマイズボタン群を自在に配置可能なユーザインタフェースを提供する。
【００８６】
本体ジョブモニタ９０１１は画像処理装置１００内部で実行中のジョブの状況や完了したジョブの履歴などを参照するためのアプリケーション部品である。
【００８７】
デバイス管理９０１２は画像処理装置１００のハードウェアを管理するためのユーザインタフェースを提供するアプリケーション部品である。
【００８８】
メモリメディア操作９０１３は拡張制御装置に周辺機器として接続された各種のリムーバブルストレージ（光磁気メディアドライブ、ＵＳＢストレージ、スマートカードやコンパクトフラッシュ（登録商標）に代表されるメモリカードなど）の操作を行うためのユーザランドアプリケーションである。メモリメディア内部に格納された文書を画像処理装置１００に引き渡してプリント、送信、またはファイリングしたり、画像処理装置１００が画像スキャンまたは受信した文書やファイリングされていた文書を受け取ってメモリメディアに格納したりすることができる。
【００８９】
暗号化セキュアプリント９０１４は、クライアントＰＣから暗号化されたプリント要求を受信して暗号化されたままいったん格納し、許可されたユーザによる操作であることがユーザ認証された場合のみ複合化して実際の画像処理装置１００へのプリントを行うという、暗号化留め置きプリント機能を提供するユーザランドアプリケーションである。
【００９０】
ブラウザ９０１５は拡張制御装置１０３の操作部でＷｅｂなどのブラウジング機能を提供するユーザランドアプリケーションである。
【００９１】
９０１６、９０１７、９０１８は他のユーザランドアプリケーションである。前述したように、ユーザランドアプリケーションは柔軟に追加や削除または活性化や不活性化することができる。
【００９２】
図１０は、拡張制御装置のシステムアプリケーション群を説明するブロック図である。
【００９３】
拡張制御装置１０３のシステムアプリケーション９００４として分類されるソフトウェアモジュール（パッケージ）には以下のユーティリティプログラムやランタイムモジュールなどが含まれる。
【００９４】
ファンクションキーパネル１０００１は機能メニューやソフトウェアキー等を拡張制御装置操作部表示部のデスクトップに配置するフレームワークとコンテナである。ファンクションキーとして以下を配置することができる。システム既定のキー（たとえばログアウト、シャットダウン、カウンタ確認、余熱、システム状況、システム設定、スクリーンキーボード呼び出し）、選択中のアプリケーションに応じて動作が切り替わるアプリケーションコンテキストキー（たとえばガイド、アプリケーション設定、アプリケーション状況）、選択中のアプリケーションがその操作を助けるために追加配置するカレントアプリケーション追加キー（たとえばアプリケーション内部の固有メニューの一部をキーとして展開配置したもの）、など。キーのレイアウトとルック＆フィールはユーザの好みに応じてカスタマイズ（パーソナライズ）できる。ファンクションキーパネルのルック＆フィールは、システム全体のテーマと連動して切り替わる。たとえば高コントラストや反転などのテーマが選ばれると、ファンクションキーパネルの表示もそれぞれの特性を反映するように切り替わる。ファンクションキーパネルにはソフトウェアキーやメニューだけでなく時計やメール着信フラグなどのアプリケーションコンポーネントも配置できる。あるユーザの利用状況においては、ファンクションキーパネルには「ユーザモード」、「キーボード」、「操作パネル」、「ガイド」、「アバウト」および「リセット」と名づけられたキーが配置される。
【００９５】
「ユーザモード」は、選択中のカレントアプリケーションに対して環境設定ダイアログを開くことを指示するか、または、システムアプリケーションのひとつであるシステム環境設定１０００９を起動する。
【００９６】
「キーボード」はシステムアプリケーションのひとつであるスクリーンキーボード１０００２の起動を指示する。
【００９７】
「操作パネル」はシステムアプリケーションのひとつである操作パネルエミュレータ１０００３の起動を指示する。
【００９８】
「ガイド」は、選択中のカレントアプリケーションに対して、システムアプリケーションのひとつであるヘルプを用いて、アプリケーションの動作状況に応じたオンラインマニュアルを表示することを指示する。
【００９９】
「アバウト」は、選択中のカレントアプリケーションに対して、バージョン、開発元、著作権などのアプリケーション情報を表示することを指示するか、あるいは、システム全体に関するモジュールごとのバージョンや著作権情報などを表示する。
【０１００】
「リセット」は選択中のカレントアプリケーションに対して、ユーザが途中まで行った一連の操作を取り消してその時点の状況に応じたひとつ前のチェックポイントまでロールバックすることを指示する。たとえばユーザがテキスト入力フィールドに文字列を入力にリセットを押下すると入力途中の文字列がクリアされたり、あるいは文字列の仮名漢字変換途中にリセットを押下すると変換候補選択状態が解除されて仮名に戻ったり、画像処理ジョブの動作パラメータを設定するためのダイアログに対して設定値の変更を施している最中にリセットを押下すると変更途中の設定はキャンセルされて当初の値に戻ったりする。
【０１０１】
スクリーンキーボード１０００２は物理的なフルキーボードをエミュレーションするためのソフトウェアキーボードである。タッチパネルを指で操作するために操作性を最適化してある。拡張制御装置１０３にはオプションで物理的なキーボードが装着される場合もあることを考慮して、システムのできるだけ低レベルで物理キーボードをエミュレートする（すなわちシステムのほとんどのレベルで、物理キーボードと区別する必要がないように構成される）。スクリーンキーボードの表示が前面を覆うことによって、入力の宛先となるアプリケーションの操作性は低下してしまうが、できるだけ邪魔にならないように配慮され、たとえば、表示・非表示の切り替えや表示位置の移動が指で簡単に操作できる。またディスプレイがより高解像度化したとき指での操作にむかないほどキートップが小さくならないように、解像度独立に構成される。スクリーンキーボードは国際化の対象であり、拡張制御装置１０３の出荷される仕向けのロケール（ｌｏｃａｌｅ）に応じて入力言語などが切り替わる。
【０１０２】
操作パネルエミュレータ１０００３は、画像処理装置１００の物理的な操作パネルをエミュレーションするためのソフトウェアパネルである。操作パネルを構成するスタートキー・ストップキー・テンキーなどをソフトウェアによってエミュレートする。各種キーのコンポーネントが押されたとき生成するキーコードは、拡張制御装置にオプションとして接続される物理的なキーボードが生成するキーコードにマッピングされる。たとえば、テンキーのキーが押されたとき、各キーに相当する物理フルキーボードのキーコードが生成される。操作パネルエミュレータのＧＵＩはアプリケーションからの要求に応じて表示される。また、ユーザの明示的な操作によって表示させることもできる。操作パネルエミュレータは、画像処理装置１００の機種依存な差異を選択するために複数のモードを持つ。たとえば画像処理装置１００がファクス対応機である場合はファクス用キー（＊や＃など）を備えたモードで動作する。また、アプリケーションが操作パネルエミュレータを呼び出す場合には、アプリケーションからキーごとの表示・非表示を選択できる。
【０１０３】
アイコンボックス１０００４は、カレントアプリケーションを切り替えるためのシステムアプリケーションである。その時点で操作対象とするユーザランドアプリケーションをユーザが選択するためのアプリケーション選択リストのプレゼンテーションロジックを提供する。アイコンボックス１０００４には、アイコン画像、および／または、アプリケーション名がリスト表示され、ユーザが選択するとカレントアプリケーションがそのアプリケーションに切り替わる。アプリケーション名はテキスト、または、画像のどちらの形式で与えられても表示できる。テキストは国際化フレームワークに連動したローカライズ対象である。アイコン画像やアプリケーション名のリソースは、各ユーザランドアプリケーションモジュールの中に含まれるリソースを利用する。ユーザがアイコンの表示順序を編集することができる。ルック＆フィールはテーマと連動して切り替わる。アイコンボックスそのものはアプリケーションのセレクタであってラウンチャではない。ただし、ライフサイクル管理の遅延起動機構を提供することにより、アプリケーションは最初に選択されたときにはじめて起動されるように登録することもできる。アプリケーションごとの強制終了やアラート表示などの機能を追加してもよい。
【０１０４】
インストーラ１０００５は拡張制御装置を構成する各種のソフトウェアをインストールするためのインストーラである。インストール対象のソフトウェアは、ユーザランドアプリケーション、システムアプリケーション、ライブラリ、ドライバ、拡張コントローラプラットフォームのモジュール群などがある。インストールするソフトウェアモジュールはリムーバブルメディアなどローカルファイルシステムから供給するだけでなく、ネットワーク経由で供給することもできる。
【０１０５】
アップデータ１０００６は拡張制御装置１０３を構成する各種のソフトウェアをアップデートするためのシステムアプリケーションである。アップデート対象のソフトウェアはインストーラ１０００５のインストール対象と同様である。アップデートするソフトウェアモジュールはローカルファイルシステム（リムーバブルメディアも含む）から供給するだけでなく、ネットワーク経由で供給することもできる。サーバに存在するアップデータの更新をネットワーク経由で検出し、更新されていれば管理者ユーザにアップデートを促す機能も有する。
【０１０６】
カウンタ参照１０００７は、カウンタ値を参照するためのシステムアプリケーションである。画像処理装置１００のカウンタと拡張制御装置１０３のアプリケーション利用をカウントするカウンタの両方を参照できる。
【０１０７】
アンチウィルス１０００８はウィルス感染の予防と検出、および、感染時の修復を行うシステムアプリケーションである。
【０１０８】
システム環境設定１０００９は拡張制御装置１０３のシステムソフトウェアやハードウェアの各種の環境設定項目（プリファレンス、プロパティ）を参照したり編集したりするためのシステムアプリケーションである。システム環境設定は複数のコンポーネントをプラグイン可能なコンテナであり、各種の環境設定項目はそのカテゴリにしたがってそれぞれを設定するためのコンポーネントによって処理される。設定対象（設定項目）によって、たとえばシステム管理者のみが参照可能であったり設定可能であったりというように適切にアクセス制御される。
【０１０９】
テーマ１００１０は、アプリケーションごとに有するカスタマイズ項目（プリファレンス）を、統一感を維持して一元的に設定するための機構を提供するシステムアプリケーションである。たとえば、ユーザが自身の好みや身体的特性に合わせて全体的な色調設定やコンポーネントの表示サイズ設定などをテーマとして指定すると、各種アプリケーションはテーマに連動した動作モードで動作する。
【０１１０】
起動アプリケーション選択１００１１は、ユーザ毎に、アプリケーションの起動と停止を制御するシステムアプリケーションである。ユーザはシステムにインストールされているアプリケーションの一覧から、アプリケーションを選択し、実行状態に状態遷移させることができる。実際に実行が許可されるかどうかはユーザの権限に基づく。また、実行状態にあるアプリケーションの中からアプリケーションを選択し停止状態に状態遷移させることができる。システム管理者は、全ユーザに共通の共通設定を行うこともできる。
【０１１１】
ログインダイアログ１００１２はログイン機構に対応するシステムアプリケーションである。画像処理システムをユーザが利用するユーザセッションの開始に必要なユーザとの対話を行う。必要な対話とは、たとえば、システムがユーザに対してユーザ認証に必要な情報（ドメイン名、ユーザ名、パスワード）のエントリを求める。ユーザ名のエントリは、テキスト入力だけでなく、より簡易にユーザリストから選択可能なように設定できる。特にゲストユーザ（認証不要のユーザ）による操作を許す運用を行う場合、ゲストユーザによるログイン操作は簡易に行えるように設定できる。ログイン方法の設定変更はシステム管理者ユーザが行う。ユーザがログインしていない状態（ユーザセッション中ではないシステムセッション中）に表示されるユーザインタフェースを備えるので、システムセッションの管理操作（シャットダウンなど）を行うための機能を付加したり、画像処理装置１００の状態表示を行う機能を付加したりする場合もある。ユーザセッションの開始に際して、ＩＣカード（スマートカード）や生体認証などに基づくユーザ認証を行う場合、専用のログインダイアログ実装で置き換えられるように構成されている（ログイン機構の実装も同様に置き換えられる）。
【０１１２】
ユーザ管理１００１３は画像処理システムを利用するユーザの管理とユーザの権限の管理を行うシステムアプリケーションである。
【０１１３】
アドレス帳１００１４はシステム内部または外部のディレクトリサービスに接続しディレクトリ情報を編集操作するためのシステムアプリケーションである。宛先情報を含むが、これに限定されず、ユーザ、組織、デバイス、あるいはサービスなどの各種エンティティごとにその諸属性をディレクトリ情報として扱う。
【０１１４】
ステータスティッカ１００１５はシステムとアプリケーションが通知するステータス情報やメッセージを表示するためのシステムアプリケーションである。テキストやアイコン画像などを表示することができる。ステータスティッカ１００１５は、並行する複数のメッセージ表示要求に対し優先度ベースの調停や時分割表示なども行う。ステータスティッカのメッセージ表示はアニメーションなどによるさまざまな表示効果に対応している。
【０１１５】
システム状況モニタ１００１６は拡張制御装置１０３のハードウェアおよびソフトウェアの両面に関するシステムの状況とアプリケーションの状況を監視するためのシステムアプリケーションである。画像処理システム１０を構成する各種モジュール群のバージョンや著作権などの情報を確認することもできる。
【０１１６】
ログビューア１００１７は拡張制御装置１０３および画像処理装置１００のそれぞれのシステムや組み込みアプリケーションが残すログ情報を参照したり管理したりするためのシステムアプリケーションである。
【０１１７】
システムセットアップ１００１８は画像処理システム１０を設置する際の初期セットアップ手順や、画像処理装置１００を新機種に交換する際のリプレース処理手順、何らかのトラブルによって拡張制御装置１０３のシステムが破壊され復旧する必要が生じた際の回復手順などを補助するためのユーティリティシステムアプリケーションである。
【０１１８】
バックアップ１００１９は拡張制御装置１０３と画像処理装置１００のそれぞれが持つハードディスクや不揮発性メモリに格納されたデータを、拡張制御装置１０３に接続されたリムーバブルメディア、外部記憶装置、またはネットワークストレージなどの安全な記憶手段に退避し、また退避したデータを元に戻すリストアを行うためのシステムアプリケーションである。
【０１１９】
スクリーンセーバ１００２０はユーザが拡張制御装置１０３の操作部を利用していないときに表示部の焼きつきを防ぐために表示の制御を行うシステムアプリケーションである。スクリーンセーバ１００２０では画像処理システム１０の便利な使い方などを紹介するアニメーションを再生することもできる。また、画像処理装置１００の紙なしなどのアラーム情報を表示したり、システム管理者などが設定したメッセージ（たとえば「定期メンテナンス日時のお知らせ」など）などを掲載した仮想的な伝言板を表示したり、ネットワーク経由でサーバから最新の情報（天気予報やニュースなど）を取得して表示したりすることもできる。複数のユーザが交互にログインして拡張制御装置１０３を用いる運用形態においては、スクリーンセーバ１００２０はログアウトし忘れて装置の前を離れたユーザを自動的にログアウトさせるためのオートログアウト処理を行う。
【０１２０】
ヘルプシステム１００２１は、画像処理システム１０のシステム全体の利用方法などを解説する文書を表示したり、それぞれのユーザランドアプリケーションがその解説文書を表示することを助けたりするためのシステムアプリケーションである。システムのモジュールや各アプリケーションモジュールなどがそれぞれモジュール単位で供給した解説文書コンテンツを、システム全体として統合するポータル機能を備える。アプリケーションプログラムからヘルプシステム１００２１に対してコンテンツ内の任意の箇所をユーザに提示するように指示することが可能である。したがって、アプリケーションはその動作状況に応じて最適な情報をユーザに提示できる。ヘルプシステム１００２１はＷｅｂアプリケーションとして構成されているため、拡張制御装置１０３の操作部１７１にユーザランドアプリケーション９００５内のブラウザ９０１５などを使用し解説文書を表示するだけでなく、クライアントＰＣ１１などで稼動するＷｅｂブラウザ上に解説文書を表示することもできる。
【０１２１】
文書ビューア１０２２は、テキスト、画像、およびアプリケーション固有形式など各種フォーマットの文書データを表示するためのシステムアプリケーションである。表示する文書の形式の例には、テキスト、ＨＴＭＬやＸＭＬやＳＧＭＬなどのマークアップ言語で記述された文書、ＪＰＥＧやＰＮＧやＴＩＦＦやＪＢＩＧなどの画像、ＬＩＰＳやＰｏｓｔＳｃｒｉｐｔなどのページ記述言語、ＰＤＦなどの文書、Ｍａｃｒｏｍｅｄｉａ  ＦｌａｓｈやＳｕｎ  Ｊａｖａ(登録商標)  Ａｐｐｌｅｔなどの表示を伴うプログラム、アニメーション、あるいは、ワードプロセッサやプレゼンテーションや表計算など各種アプリケーションプログラム固有のプロプラエタリなフォーマットに基づく文書データなどがある。文書ビューア１０２２が扱う文書の一部または全部は、画像処理装置１００によってプリント、スキャン、送受信、ファイリングなどが可能である。
【０１２２】
ファイル操作１００２３は、拡張制御装置１０３に内蔵または接続された各種記憶手段の上に構築されたファイルシステム、画像処理装置１００が持つファイルシステム、または、ネットワーク経由でサーバコンピュータ１２やクライアントＰＣ１１などが提供するネットワーク共有のファイルシステムを操作するシステムアプリケーションである。
【０１２３】
文書管理１００２４は、拡張制御装置１０３に搭載された文書管理システム（ｄｏｃｕｍｅｎｔ  ｍａｎａｇｅｍｅｎｔ  ｓｙｓｔｅｍ）である。文書管理１００２４は拡張制御装置１０３のファイルシステムや外部サーバのデータベース管理システムなどを用いて各種の文書データの蓄積、検索、管理などを実現するための機能を提供する。
【０１２４】
図１１は、拡張制御装置のソフトウェアプラットフォームを構成するソフトウェアパッケージ群を説明するブロック図である。
【０１２５】
システムセッション管理１１００１は拡張制御装置１０３のブートアップからシャットダウンまで、システム全体のセッション管理を行うためにシステム全体の構成および設定を管理する。デーモン型サービス（常駐型アプリケーションとして実装されたシステムアプリケーションとユーザアプリケーション）のライフサイクル管理も行う。
【０１２６】
電源制御１１００２は拡張制御装置１０３の省電力設定など電力制御の管理を行う。Ｗａｋｅ  Ｏｎ  ＬＡＮ、ＡＣＰＩなどハードウェアシステムとＢＩＯＳ設定を管理する。
【０１２７】
ユーザセッション管理１１００３はログインからログアウトまで、ユーザによるログインセッションを管理する。コンソール型アプリケーション（ユーザのログインセッション中に動作するシステムアプリケーションとユーザアプリケーション）のライフサイクル管理を行う。またＷｅｂアプリケーションのログインセッション管理機構を助ける。
【０１２８】
ログイン機構１１００４はユーザがユーザセッションを開始する機構である。ユーザ管理およびユーザ認証パッケージによりユーザの特定を行う。ユーザ環境へのインテグレーションのために、個別のニーズに合わせたログイン機構がプラグイン可能である。たとえばＩＣカード（スマートカード）によるユーザ認証や生体認証に基づくログイン機構を統合することができる。
【０１２９】
アクセス制御１１００５はユーザ毎に、および、ユーザが所属するグループ毎に、画像処理システム１０を構成する各種リソースのアクセス権限を管理する。
【０１３０】
ユーザ管理・ユーザ認証１１００６はシステムを利用するユーザアカウントの管理とユーザの特定（識別）を行う。パスワードなどによるｗｈａｔ−ｙｏｕ−ｋｎｏｗ型の認証だけなくＩＣカード（スマートカード）などによるｗｈａｔ−ｙｏｕ−ｈａｖｅ型や生体認証などによるｗｈａｔ−ｙｏｕ−ａｒｅ型の認証も利用できる。
【０１３１】
ディレクトリサービス連携１１００７は拡張制御装置１０３のユーザ管理、ユーザ認証、またはディレクトリ情報の管理を外部のディレクトリサービスに委譲する。
【０１３２】
ディレクトリ１１００８は拡張制御装置１０３が備えるローカルディレクトリサービスであり、ユーザ、および、各種リソースの情報を管理する。管理する情報は、ディレクトリサービスが管理対象とするあらゆるエンティティの属性とエンティティ間の関係である。たとえばＮＤＳなどのディレクトリサービスが管理するエンティティの例には、ユーザ、プリンタ、ファイルサーバなどがあげられる。管理対象は、拡張制御装置１０３システム内部のリソースと画像処理装置１００内部のリソースの両者である。
【０１３３】
アプリケーションライフサイクル管理１１００９はシステムアプリケーションおよびユーザランドアプリケーションのライフサイクル（インストール、アップデート、アンインストール、起動、中断、停止）を管理する。
【０１３４】
ライセンス管理１１０１０は拡張制御装置１０３における各アプリケーションの利用許諾を管理する。
【０１３５】
アプリケーションカウンタ１１０１１は拡張制御装置１０３に搭載された各アプリケーションの利用量と、アプリケーションの利用に伴うシステムリソースの利用量をカウントする。システムトータルのカウントだけでなくユーザ毎のカウントも可能である。
【０１３６】
環境設定管理１１０１２はシステム全体やアプリケーション毎の環境設定（プリファレンス、プロパティ、構成）を保持するデータベースである。ユーザに依存しない共通設定と、ユーザごとのユーザ固有設定とがそれぞれ管理される。
【０１３７】
リソース管理１１０１３はアプリケーションを構成する各種リソース（ローカライズ可能文字列、アイコン画像、サウンド、プラグイン、ＧＵＩ記述、補助データなど）の構造化と管理を助ける。
【０１３８】
パーソナライズフレームワーク１１０１４は複数のアプリケーションのアプリケーション固有設定に対し横断的にユーザの好みを反映するための枠組みを提供する。テーマ（たとえば画面全体の色調を選択すると個々のアプリケーションの色調が連動するなど）や、ユーザ固有で複数のアプリケーションから共通に参照される汎用の環境設定（ＰＯＰサーバ情報など）を実現する。
【０１３９】
ユーザアシスタンス１１０１５は拡張制御装置１０３のシステム全体およびアプリケーション群のドキュメンテーション（ガイド・ヘルプ、マニュアル、チュートリアルなど）を登録管理し、ユーザによるシステムやアプリケーションの利用を補助するための機構である。
【０１４０】
インプット１１０１６はユーザからの入力イベントを処理する。ユーザと拡張制御装置１０３システム間のインタラクションにおいてユーザからのイベント入力源は、物理的なキーボードや操作部ハードキー、マウスなどのポインティングデバイス、スクリーンキーボードや操作部エミュレータ、ファンクションキーパネル上のスクリーンファンクションキーなどがある。インプットメソッド（各国語の文字入力のための入力手段あるいはフロントエンドプロセッサ）に関連する処理も行う。
【０１４１】
ステータスメッセージ管理１１０１７は各アプリケーションが表明する状態あるいはメッセージを受け付け管理する。ユーザや他のアプリケーションがその状態またはメッセージを取得するための機構を提供する。たとえばステータスティッカ１００１５がメッセージを取得する。
【０１４２】
国際化フレームワーク１１０１８はシステムとアプリケーションの国際化を助ける。
【０１４３】
ロギング１１０１９は各アプリケーションがログを残すための機構を提供する。アプリケーションがアプリケーションステータスメッセージ管理に対して送信した状態やメッセージの一部は自動的にロギングされる。エンドユーザのためのログだけでなく、開発者がアプリケーションをデバグするためのログも扱う。
【０１４４】
ウィンドウマネージャ１１０２０はネイティブの汎用ＯＳ９００１用ウィンドウマネージャとの連携によって実装される、拡張制御装置１０３に最適化されＯＳ独立なウィンドウマネージャである。各種アプリケーションが開くＧＵＩウィンドウの表示や重なりを制御する。また、指で操作しやすいウィンドウタイトル、メニュー、スライダなどを提供する。
【０１４５】
ＧＵＩツールキット１１０２１は拡張制御装置１０３システム用にルック＆フィールをデザインしたＧＵＩフレームワーク、ＧＵＩ部品（コンポーネント）、および、ランタイムモジュールである。
【０１４６】
サウンド１１０２２はタップ音、警告音など音による、システムやアプリケーションからユーザへの情報提示を制御する。拡張制御装置１０３システム用にデザインしたサウンドデータのライブラリが用意される。サウンドの設定はパーソナライズの対象である。
【０１４７】
セキュア通信チャネル１１０２３は暗号化などの技術により実現される安全なネットワークコネクションを提供する。ＩＥＴＦのＳｅｃｕｒｅ  Ｓｈｅｌｌ（ｓｅｃｓｈまたはＳＳＨ）を用いて、セキュアでないＴＣＰコネクションを簡単にトネリングする機構も提供する。
【０１４８】
セキュアファイルシステム１１０２４は安全なファイルシステムを提供する。暗号化などの技術によって実現される。
【０１４９】
暗号処理１１０２５は暗号処理のための機構を提供する。
【０１５０】
鍵管理１１０２６は各種の暗号処理のために必要な鍵を安全に管理する機構を提供する。
【０１５１】
画像処理１１０２７は各種画像処理のための機構を提供する。画像処理装置１００が内蔵する画像処理ハードウェアなどを用いた専用の画像処理機能を分散サービスとして拡張制御装置１０３のアプリケーションから利用するための分散イメージング機構も提供される。またＯＣＲやブロックセレクションの技術も画像処理の一環として扱われる。
【０１５２】
プレゼンテーション拡張インタフェース１１０２８は拡張制御装置１０３システム内アプリケーションによって実装されるプレゼンテーションロジックから、画像処理装置１００内の組み込みアプリケーションのビジネスロジックへの、通信機構を提供する。
【０１５３】
組み込みアプリケーション拡張インタフェース１１０２９は画像処理装置１００内の組み込みアプリケーションのビジネスロジックを分散コンポーネント化するためのフレームワークとアプリケーションプロトコルによって実現されるインタフェースである。
【０１５４】
ジョブ制御・装置制御インタフェース１１０３０は画像処理装置の製品シリーズをまたがって共通で統一的な制御モデルを提供するプリミティブなインタフェースである。ジョブ制御・装置制御インタフェース１１０３０は、拡張制御装置１０３システムのアプリケーションが画像処理装置１００のデバイス機能を制御することを可能とする。ジョブ制御・装置制御インタフェース１１０３０によって、拡張制御装置１０３内のソフトウェアと画像処理装置１００内の組み込みアプリケーション層とがインタフェースすることはできない。
【０１５５】
画像ジョブ制御インタフェース１１０３１は画像処理装置１００によってプリントやスキャンなどの画像転送を伴う処理を高速に行うための高水準インタフェースである。画像ジョブ制御インタフェース１１０３１は拡張制御装置１０３システム内のアプリケーションが画像処理装置１００本体のデバイス機能を利用することを可能とする。このインタフェースによって画像処理装置１００本体内の組み込みアプリケーション層とインタフェースすることはできない。
【０１５６】
プリンタドライバ１１０３２はネイティブの汎用ＯＳ９００１が提供するプリントフレームワークによって、拡張制御装置１０３のアプリケーションから画像処理装置１００に対するプリントジョブやファクス送信ジョブや文書ファイル格納ジョブなどを投入する機構である。
【０１５７】
スキャナドライバ１１０３３はネイティブの汎用ＯＳ９００１が提供する画像スキャンフレームワークによって、拡張制御装置１０３のアプリケーションから画像処理装置１００に対するプルスキャンジョブの投入とスキャン画像の取得を行う機構である。
【０１５８】
アプリケーション間通信１１０３４は拡張制御装置１０３で動作するソフトウェアのプロセス間およびスレッド間の通信機構を提供する。拡張制御装置１０３の汎用ＯＳ９００１はその上で動作する各プロセスに対してそれぞれ独立した保護されたメモリ空間を提供するため、異なるプロセスとして動作するアプリケーション間で通信を行うためには特別な機構を必要とする。アプリケーション間通信１１０３４は汎用ＯＳ９００１が提供する共有メモリ、パイプ、ソケットなどの機構を用いて、プロセス間通信のトランスポート層を実装している。プロセス間通信のアプリケーションプロトコル層はＸＭＬプロトコル（ＳＯＡＰ）を用いたＸＭＬベースのメッセージ交換を基本とし、ＸＭＬプロトコルの扱いを助けるツールキット、フレームワーク、エンジンが提供される。アプリケーション間通信１１０３４は、拡張制御装置１０３と画像処理装置１００、および、拡張制御装置１０３と外部システムなど、複数のノードに分散しネットワークを介した協調を行う複数のソフトウェア群による分散システムの構築を助けるためのフレームワークも含む。この枠組みには、前記のプログラミング言語独立なＸＭＬプロトコルに基づくものと、Ｊａｖａ(登録商標)の分散オブジェクト技術であるＲＭＩに基づくものとが提供される。
【０１５９】
マクロ・スクリプティング１１０３５はエンドユーザプログラミングやスクリプティング、あるいは、例題学習（ユーザが行った動作を記録して、再生可能とする）などの技巧によって、ソフトウェアにおける一連の処理を単一の処理にまとめるマクロ機構である。マクロ・スクリプティング１１０３５によって、ユーザは単一のアプリケーションの中で行う一連の処理をマクロ化するだけでなく、複数のアプリケーションの処理を組み合わせた処理を定型業務のようなマクロとして登録し利用することもできる。
【０１６０】
実行スケジューリング１１０３６は定時実行（ＵＮＩＸ（登録商標）のユーティリティであるｃｒｏｎに類似している）、および、システムセッションのイベント（たとえばブートアップ、シャットダウン）やユーザセッションのイベント（たとえばログイン、ログアウト）などに同期して所望の処理を自動的に実行するための機構である。
【０１６１】
Ｗｅｂサーバ１１０３７は、よく知られたネットワークプロトコルであるＨＴＴＰ（あるいはそれをセキュアにしたＨＴＴＰＳなども同様）に基づく要求に応えて要求元との間でデータの送受信を行うサービスである。
【０１６２】
アプリケーションサーバ１１０３８はＷｅｂサーバ１１０３７と連動し、クライアントとの間で動的なデータの交換を行うＷｅｂアプリケーションのために動作環境を提供する。Ｗｅｂサーバ１１０３７が受信したＨＴＴＰの要求メッセージをその要求メッセージに応じた適切なアプリケーションに対して要求として引渡し、アプリケーションの処理結果に基づくアプリケーションからの応答を受け取って対応するＨＴＴＰ応答メッセージとして元のＨＴＴＰ要求の要求元へと返送する。アプリケーションサーバ１１０３８は、Ｗｅｂアプリケーションを効率的に開発し動作させるために、テンプレートとテンプレート言語に基づくプログラムとの組み合わせによって動的にメッセージを生成するテンプレートエンジンを含む。またアプリケーションサーバ１１０３８は、Ｗｅｂアプリケーションを効率的に開発し動作させるために、ＭＶＣ（Ｍｏｄｅｌ−Ｖｉｅｗ−Ｃｏｎｔｒｏｌｌｅｒ）アーキテクチャに基づくアプリケーションフレームワークを備える。
【０１６３】
ＳＯＡＰエンジン１１０３９は、よく知られているＸＭＬプロトコルを処理するプロセッサの開発を容易にするためのエンジンである。ＳＯＡＰエンジン１１０３９はアプリケーションサーバ１１０３８と連動するように構成している。ＳＯＡＰエンジン１１０３９はＳＯＡＰクライアントから送られてきたＳＯＡＰ要求メッセージを処理し、メッセージを処理するための適切なソフトウェアに引き渡す。ＳＯＡＰ要求メッセージを処理するソフトウェアが適切な処理を完了してリターンするとＳＯＡＰエンジンはそのリターンに相当するＳＯＡＰ応答メッセージを生成して要求元のＳＯＡＰクライアントに返送する。
【０１６４】
ＸＭＬツールキット１１０４０は、拡張制御装置１０３上のソフトウェア群が、ＸＭＬやその応用として規定された各種マークアップ言語の解釈、生成、変換などの処理を実行することを助けるためのツールキットである。
【０１６５】
Ｊａｖａ(登録商標)プラットフォーム１１０４１の基本部分はＪａｖａ(登録商標)  ２  Ｐｌａｔｆｏｒｍ，  Ｓｔａｎｄａｒｄ  ＥｄｉｔｉｏｎまたはＪａｖａ(登録商標)  ２  Ｒｕｎｔｉｍｅ  Ｅｎｖｉｒｏｎｍｅｎｔとしてよく知られているＪａｖａ(登録商標)プラットフォームによって構築されている。
【０１６６】
図１２は、画像処理装置の拡張制御装置操作部の表示画面例を示す図である。
【０１６７】
このコントローラはＰＣを使用しており、表示モニタは１０２４ドット×７６８ドットの解像度のＬＣＤタッチパネルを使用している。画面中央付近がアプリケーション表示エリア１２００１であり、図にあるようにコピー画面をはじめとして、複数のウィンドウが同じサイズに重なっている。ユーザから見た場合は最前面のウィンドウがひとつだけ動いているように見える。画面左端のアイコンボックス１２００２は、前述のウィンドウ切り替え手段に該当する。各ウィンドウに一対一で対応したアプリケーション名とアイコンが表示されており、利用可能なアプリケーションが多数存在し画面内に収まりきらない場合は、スクロールして表示を行うことが出来る。アイコンボックス上の任意のアイコンを押すことで、アプリケーション表示エリア上に該当するウィンドウが表示される。
【０１６８】
画面上部のファンクションキーパネル１２００３は拡張制御装置操作部で共通に利用する機能ボタンの集合である。ユーザモードボタン１２００４は、ボタンを押下することにより本拡張制御装置全体またはアプリケーション表示エリアに表示されているアプリケーションの設定画面を呼び出すメニューが表示され、それぞれの設定を行うことが出来る。スクリーンキーボードボタン１２００５は、後述するスクリーンキーボードを起動することが出来る。操作部パネルエミュレータボタン１２００６は、後述する操作部パネルエミュレータを起動することが出来る。ガイドボタン１２００７は、ボタンを押下することにより本拡張制御装置全体またはアプリケーション表示エリアに表示されているアプリケーションのガイド画面を呼び出すメニューが表示され、それぞれのガイドを閲覧することが出来る。アバウトボタン１２００８は、ボタンを押下することにより本拡張制御装置全体またはアプリケーション表示エリアに表示されているアプリケーションのアバウト画面を呼び出すメニューが表示され、それぞれのアバウト情報を閲覧することが出来る。リセットキー１２００９は、アプリケーション表示エリアに表示されているアプリケーションに対してリセットキーのキーコードを送信することが可能であり、リセットキーを受けたアプリケーションは、アプリケーション既定のリセット動作を行う。
【０１６９】
画面下部のログオフボタン１２０１０は、ログイン中ユーザのログオフまたは本拡張制御装置のシャットダウンを行うことが出来る。ソフトタリー１２０１１は、画像処理装置のタリーランプをエミュレートしたものであり、本拡張制御装置の状態（例えば正常、警告、エラーなど）を赤および青の点滅、点灯、消灯によって通知することが出来る。ステータスティッカ１２０１２はアプリケーションが発生するメッセージを表示するエリアであり、複数のアプリケーションから送られるメッセージのうち優先度の最も高いメッセージを表示する。メッセージはスクロール表示可能であるため長いメッセージに関しても全てを確認することが可能である。履歴ボタン１２０１３は本拡張制御装置の履歴画面を表示することが出来る。デバイス状況ボタン１２０１４は画像処理装置の状況、履歴画面を表示することが出来る。全画面表示ボタン１２０１５は、表示されたブラウザアプリケーションが持つボタンで、このボタンを押下するとブラウザのウィンドウを新規で全画面表示を行う。
【０１７０】
図１３は、ファンクションキーパネル１２００３から起動されるソフトウェアキーボードである。
【０１７１】
ソフトウェアキーボードは、ＬＣＤタッチパネル上での文字入力を可能にするものである。キーボード設定に応じて、１０１キーボードや１０６キーボードのようにレイアウトを変更することが可能である。
【０１７２】
図１４は、ファンクションキーパネル１２００３から起動される画像処理装置の操作部パネルエミュレータである。
【０１７３】
操作部パネルエミュレータは、画像処理装置のハード操作部のテンキーやスタートキー、ストップキーと同様の入力を可能にするものである。
【０１７４】
図１５は、拡張制御装置に搭載されるユーザランドアプリケーションの一つである暗号化セキュアプリントの画面である。
【０１７５】
暗号化セキュアプリントは、出力装置において排紙された印刷原稿が第三者の目に触れないようにする機密保持、およびネットワーク上を流れる印刷データの機密保持を目的としたアプリケーションである。ユーザはクライアントＰＣにおいて印刷ジョブを発行する際に、任意の暗証番号やパスワードの入力や、ＩＣカードを利用して、印刷データを暗号化し拡張制御装置へ送信する。暗号化された印刷データは拡張制御装置上において暗号化された状態でスプールされる。その後、ユーザは拡張制御装置において、任意の暗証番号やパスワードの入力やＩＣカードを挿入することにより、暗号化された印刷データを復号化し、所望の印刷原稿の機密性を保持して入手することが可能となる。
【０１７６】
図１６は、図１２における全画面表示ボタン１２０１５を押下したときに表示されるＷｅｂブラウザアプリケーションの全画面表示の様子を表した図である。６１９はＵＲＬ入力フィールド、６２０はＵＲＬの履歴をリスト表示するためのＵＲＬ履歴ボタン、６２１はＵＲＬ入力フィールド６１９にＵＲＬを入力した後、実際にジャンプする際に押下する確定ボタン、６２２が読み込み中止ボタン、６２３は現在の表示を更新する更新ボタン、６２４はあらかじめ設定しておいたホームのページにジャンプするためのホームボタン、６２５はお気に入りリストが表示されるお気に入りボタン、６０１はソフトウェアキーボードを表示するためのキーボードボタン、６１７が現在開いているページの１つ前のページに戻るための戻るボタン、６１６は以前に開いたページの履歴を持っている後方履歴ボタン、６１５は現在開いているページの１つ先のページに進むための進むボタン、６１４は以降に開いたページの履歴を持っている前方履歴ボタン、６１３は開いたＷｅｂページのタイトルを表示するタイトル表示領域、６１８は開いたＷｅｂページのコンテンツを表示するためのコンテンツ表示領域、６１２は現在開いているページの印刷を行うための印刷ボタン、６１１はＷｅｂブラウザアプリケーション自体の仕様設定（例えば文字サイズやフォント、セキュリティなどの設定）を行うためのメニューボタン、６０２が全画面表示された本ウィンドウを閉じるための閉じるボタンである。
【０１７７】
図１７は、図１６におけるキーボード表示ボタン６０１が押下された場合に表示される様子を表した図である。キーボード表示ボタン６０１が押下されると、ソフトウェアキーボードの起動がかかり、６０３のようにソフトウェアキーボードが表示される。
【０１７８】
図２２において、本実施例におけるフローチャートを説明する。
【０１７９】
まずＳ４０１で全画面表示ボタンが押下されたかどうかを判断している。押下されるまでこれが繰り返されるが、押下された場合、Ｓ４０２に進み、ブラウザにてキーボード表示ボタンを生成し、Ｓ４０３にて生成したキーボード表示ボタンを設けた、ブラウザの全画面表示を新規ウィンドウで行う。次にＳ４０４でキーボード表示ボタンが押下されたかどうかを判断しており、これが繰り返される。キーボード表示ボタンが押下されたと判断されたら、Ｓ４０５でキーボードの起動をかけ、Ｓ４０６で表示を行う。
【実施例２】
【０１８０】
第２の実施例を説明する。ここでは、請求項２にあるように、拡張制御装置においてブラウザの全画面表示が行われたときに、フローティングでキーボード表示ボタンを表示する場合の構成について説明する。
【０１８１】
図１〜１５の説明図については第１の実施例と同様のため、ここでの説明は割愛し、フローティングが行われたときの画面とフローチャートのみを説明する。
なお、ここで示す構成は一例であり図示の構成に限定されるものではない。
【０１８２】
図１８は、図１２における全画面表示ボタン１２０１５を押下したときに表示される全画面表示、かつフローティングされたキーボード表示ボタンの様子を表した図である。
【０１８３】
６０４に示されるように操作パネルが表示され、そのパネルの中にキーボード表示ボタン６０５が表示される。また、６３０閉じるボタンでこの操作パネルが閉じ、６０６閉じるボタンで全画面表示されたウィンドウが閉じられる。なお、その他のボタンは図１６にある説明と同様のため割愛する。
【０１８４】
図１９は、図１８におけるキーボード表示ボタン６０５が押下された場合に表示される様子を表した図である。キーボード表示ボタン６０５が押下されると、ソフトウェアキーボードの起動がかかり、６０７のようにソフトウェアキーボードが表示される。
【０１８５】
図２３において、本実施例におけるフローチャートを説明する。
【０１８６】
まずＳ５０１で全画面表示ボタンが押下されたかどうかを判断している。押下されるまでこれが繰り返されるが、押下された場合、Ｓ５０２に進み、ブラウザにて全画面表示を新規ウィンドウで行う。そして、Ｓ５０３にてフローティングでキーボードボタン（操作パネル）を表示する。次にＳ５０４でキーボード表示ボタンが押下されたかどうかを判断しており、これが繰り返される。キーボード表示ボタンが押下されたと判断されたら、Ｓ５０５でキーボードの起動をかけ、Ｓ５０６で表示を行う。
【実施例３】
【０１８７】
第３の実施例を説明する。ここでは、請求項３にあるように、拡張制御装置においてブラウザの全画面表示が行われたときに、特定座標が押下されることでキーボード表示ボタンを表示する場合の構成について説明する。
【０１８８】
図１〜１５の説明図については第１の実施例と同様のため、ここでの説明は割愛し、ソフトウェアキーボード表示領域がある特定の座標に設けられた場合の画面とフローチャートのみを説明する。
【０１８９】
なお、ここで示す構成は一例であり図示の構成に限定されるものではない。
【０１９０】
図２０は、図１２における全画面表示ボタン１２０１５を押下したときに表示される全画面表示、かつソフトウェア表示領域がある特定の座標に設けられた場合の様子を表した図である。
【０１９１】
６０８に示されるようにソフトウェア表示領域がある特定の座標に設けられ、その座標がタッチされることで、ソフトウェアキーボードを起動する。また、６０９閉じるボタンで全画面表示されたウィンドウが閉じられる。なお、その他のボタンは図１６にある説明と同様のため割愛する。
【０１９２】
図２１は、図２０においてソフトウェアキーボード表示領域が設定されている。特定の座標がタッチされた場合に表示される様子を表した図である。ある特定の座標がタッチされると、ソフトウェアキーボードの起動がかかり、６１０のようにソフトウェアキーボードが表示される。
【０１９３】
図２４において、本実施例におけるフローチャートを説明する。
【０１９４】
まずＳ６０１で全画面表示ボタンが押下されたかどうかを判断している。押下されるまでこれが繰り返されるが、押下された場合、Ｓ６０２に進み、ブラウザにて座標検知領域を有効化し、Ｓ６０３にてブラウザにて全画面表示を新規ウィンドウで行う。そして、Ｓ６０４にてキーボード表示ボタンが押下されたかどうかを判断しており、これが繰り返される。キーボード表示ボタンが押下されたと判断されたら、Ｓ６０５でキーボードの起動をかけ、Ｓ６０６で表示を行う。
【図面の簡単な説明】
【０１９５】
【図１】画像処理システムが利用されるネットワーク環境の一例を示す模式図である。
【図２】画像処理装置と拡張制御装置の組み合わせによって構成された画像処理システムのブロック図である。
【図３】画像処理装置と拡張制御装置の組み合わせによって構成された画像処理システムの外観図である。
【図４】画像処理装置の制御装置のハードウェア構成を示すブロック図である。
【図５】画像処理装置のコントローラのソフトウェアのモジュール構造を示すブロック図である。
【図６】画像処理装置の操作部の表示部に表示される基本画面を示す説明図である。
【図７】拡張制御装置のハードウェア構成を示すブロック図である。
【図８】拡張制御装置内のアプリケーションが画像処理装置とインタフェースするためのＡＰＩを示す図である。
【図９】拡張制御装置のソフトウェアのモジュール群の階層構造を示すブロック図である。
【図１０】拡張制御装置のシステムアプリケーション群を説明するブロック図である。
【図１１】拡張制御装置のソフトウェアプラットフォームを構成するソフトウェアパッケージ群を説明するブロック図である。
【図１２】画像処理装置の拡張制御装置操作部の表示画面例を示す図である。
【図１３】ファンクションキーパネルから起動されるソフトウェアキーボードを示す図である。
【図１４】ファンクションキーパネルから起動される画像処理装置の操作部パネルエミュレータを示す図である。
【図１５】拡張制御装置に搭載されるユーザランドアプリケーションの一つである暗号化セキュアプリントの画面を示す図である。
【図１６】拡張制御装置におけるＷｅｂブラウザアプリケーションが全画面表示された場合の画面を示す図である。
【図１７】拡張制御装置におけるＷｅｂブラウザアプリケーションが全画面表示された場合で、ソフトウェアキーボードが表示された画面を示す図である。
【図１８】拡張制御装置におけるＷｅｂブラウザアプリケーションが全画面表示になった場合にフローティングでソフトウェアキーボード表示ボタン（操作パネル）が表示された画面を示す図である。
【図１９】拡張制御装置におけるＷｅｂブラウザアプリケーションが全画面表示になった場合にフローティングでソフトウェアキーボードが表示された画面を示す図である。
【図２０】拡張制御装置におけるＷｅｂブラウザアプリケーションが全画面表示になった場合に特定座標にソフトウェアキーボード表示エリアが存在する場合の画面を示す図である。
【図２１】拡張制御装置におけるＷｅｂブラウザアプリケーションが全画面表示になった場合に特定座標にソフトウェアキーボード起動エリアが存在し、実際にキーボードが表示された画面を示す図である。
【図２２】実施例１におけるフローチャートを説明した図である。
【図２３】実施例２におけるフローチャートを説明した図である。
【図２４】実施例３におけるフローチャートを説明した図である。
【符号の説明】
【０１９６】
１０  画像処理システム
１１  クライアントＰＣ
１２  サーバコンピュータ
１３  プリンタ
１５  ルータ
１６  広域ネットワーク
１００  画像処理装置
１０３  拡張制御装置
１１０  制御装置（画像処理装置内のコントローラ部）
１１１  メインコントローラ
１１２  ＣＰＵ
１１３  バスコントローラ
１１４  ＲＯＭ
１１５  ＲＯＭＩ／Ｆ
１１６  ＤＲＡＭ
１１７  ＤＲＡＭＩ／Ｆ
１１８  Ｃｏｄｅｃ
１２０  Ｉ／Ｆ
１２１  外部通信Ｉ／Ｆ
１２２  コネクタ
１２４  拡張コネクタ
１２５  汎用高速バス
１２６  Ｉ／Ｏ制御部
１２７  調歩同期シリアル通信コントローラ
１２８  Ｉ／Ｏバス
１３０  キー入力Ｉ／Ｆ
１３１  ＬＣＤコントローラ
１３２  パネルＩ／Ｆ
１３３  リアルタイムクロックモジュール
１３４  バックアップ電池
１３５  Ｇｒａｐｈｉｃ  Ｐｒｏｃｅｓｓｏｒ
１４０  外部Ｉ／Ｆ回路
１４１  スキャナバス
１４２  コネクタ
１４３  同調歩同期シリアルＩ／Ｆ
１４４  ビデオＩ／Ｆ
１４５  外部Ｉ／Ｆ回路
１４６  プリンタバス
１４７  コネクタ
１４８  同調歩同期シリアルＩ／Ｆ
１４９  ビデオＩ／Ｆ
１５０  操作部
１６０  ハードディスクドライブ
１６１  Ｅ−ＩＤＥインタフェース
１６２  ハードディスク
１７０  制御装置本体
１７１  操作部
１７２  周辺機器
２００  リーダー部
２０１  ローカルインタフェース
２１０  スキャナユニット
２５０  原稿給紙ユニット
３００  プリンタ部
３１０  マーキングユニット
３６０  給紙ユニット
３７０  排紙ユニット
４００  ＬＡＮ
５０１  拡張機能キー
５０２  画像モードキー
５０３  ユーザモードキー
５０４  応用ズームキー
５０５  Ｍ１キー
５０６  Ｍ２キー
５０７  Ｍ３キー
５０９  オプションキー
５１０  ソータキー
５１１  原稿混載キー
５１２  等倍キー
５１３  用紙選択キー
５１４  縮小キー
５１５  拡大キー
５１７  濃度表示
５１８  濃度キー
５１９  ＡＥキー
５２０  濃度キー
５２１  ＨｉＦｉキー
５２２  文字強調キー
５２３  ガイドキー
５２４  コピーモードキー
５２５  ファックスキー
５２６  Ｂｏｘキー
５２７  プリンタキー
６００  プリンタ選択キー
４１００  計算機
４１０１  メインＣＰＵ
４１０２  ネットワークインタフェース
４１０３  周辺機器インタフェース
４１０４  メモリ
４１０５  ＲＯＭ
４１０６  ハードディスクユニット
４１０７  ディスプレイインタフェース
４１０８  キーボードインタフェース
４１０９  マウスインタフェース
４２０２  タッチパネル
４２０３  液晶ディスプレイ
５００１  リアルタイムＯＳ
５００２  ファイルシステム
５００３  ジョブ制御・装置制御モジュール
５００４  管理モジュール
５００５  制御ＡＰＩ
５００６  ネットワークサービス
５００７  組み込みアプリケーションロジック
５００８  プレゼンテーションインタフェース
５００９  組み込みアプリケーションＵＩ
５０１０  組み込みＪａｖａ(登録商標)環境
８００１  アプリケーション
８００２  ＡＰＩ
８００３  プリンタドライバ
８００４  スキャナドライバ
８００５  ジョブ制御・装置制御インタフェース
８００６  プレゼンテーション拡張インタフェース
８００７  組み込みアプリケーション拡張インタフェース
８００８  画像ジョブ制御インタフェース
９００１  汎用ＯＳ
９００２  拡張コントローラプラットフォーム
９００４  システムアプリケーション
９００５  ユーザランドアプリケーション
９００６  ＭＦＰ統合アプリケーション
９００７  コピー
９００８  ボックス
９００９  送信
９０１０  ポータル
９０１１  本体ジョブモニタ
９０１２  デバイス管理
９０１３  メモリメディア操作
９０１４  暗号化セキュアプリント
９０１５  ブラウザ
９０１６  ユーザランドアプリケーション
９０１７  ユーザランドアプリケーション
９０１８  ユーザランドアプリケーション
１０００１  ファンクションキーパネル
１０００２  スクリーンキーボード
１０００３  操作パネルエミュレータ
１０００４  アイコンボックス
１０００５  インストーラ
１０００６  アップデータ
１０００７  カウンタ参照
１０００８  アンチウィルス
１０００９  システム環境アプリ
１００１０  テーマ
１００１１  起動アプリケーション選択
１００１２  ログインダイアログ
１００１３  ユーザ管理
１００１４  アドレス帳
１００１５  ステータスティッカ
１００１６  システム状況モニタ
１００１７  ログビューワ
１００１８  システムセットアップ
１００１９  バックアップ
１００２０  スクリーンセーバ
１００２１  ヘルプシステム
１００２２  文書ビューワ
１００２３  ファイル操作
１００２４  文書管理
１１００１  システムセッション管理
１１００２  電源制御
１１００３  ユーザセッション管理
１１００４  ログイン機構
１１００５  アクセス制御
１１００６  ユーザ管理・ユーザ認証
１１００７  ディレクトリサービス連携
１１００８  ディレクトリ
１１００９  アプリケーションライフサイクル
１１０１０  ライセンス管理
１１０１１  アプリケーションカウンタ
１１０１２  環境設定管理
１１０１３  リソース管理
１１０１４  パーソナライズフレームワーク
１１０１５  ユーザアシスタンス
１１０１６  インプット
１１０１７  ステータスメッセージ管理
１１０１８  国際化フレームワーク
１１０１９  ロギング
１１０２０  ウィンドウマネージャ
１１０２１  ＧＵＩキット
１１０２２  サウンド
１１０２３  セキュア通信チャネル
１１０２４  セキュアファイルシステム
１１０２５  暗号処理
１１０２６  鍵管理
１１０２７  画像処理
１１０２８  プレゼンテーション拡張インタフェース
１１０３０  ジョブ制御・装置制御インタフェース
１１０３１  画像ジョブ制御インタフェース
１１０３２  プリンタドライバ
１１０３３  スキャナドライバ
１１０３４  アプリケーション間通信
１１０３５  マクロ・スクリプティング
１１０３６  実行スケジューリング
１１０３７  Ｗｅｂサーバ
１１０３８  アプリケーションサーバ
１１０３９  ＳＯＡＰエンジン
１１０４０  ＸＭＬツールキット
１１０４１  Ｊａｖａ(登録商標)プラットフォーム
１２００１  アプリケーション表示エリア
１２００２  アイコンボックス
１２００３  ファンクションキーパネル
１２００４  ユーザモードボタン
１２００５  スクリーンキーボードボタン
１２００６  操作部パネルエミュレータボタン
１２００７  ガイドボタン
１２００８  アバウトボタン
１２００９  リセットキー
１２０１０  ログオフボタン
１２０１１  ソフトタリー
１２０１２  ステータスティッカ
１２０１３  履歴ボタン
１２０１４  デバイス状況ボタン
１２０１５  全画面表示ボタン
【図１】
2006107301.tif 000003
【図２】
2006107301.tif 000004
【図４】
2006107301.tif 000005
【図５】
2006107301.tif 000006
【図６】
2006107301.tif 000007
【図７】
2006107301.tif 000008
【図８】
2006107301.tif 000009
【図９】
2006107301.tif 000010
【図１０】
2006107301.tif 000011
【図１１】
2006107301.tif 000012
【図２２】
2006107301.tif 000013
【図２３】
2006107301.tif 000014
【図２４】
2006107301.tif 000015
【図３】
2006107301.tif 000016
【図１２】
2006107301.tif 000017
【図１３】
2006107301.tif 000018
【図１４】
2006107301.tif 000019
【図１５】
2006107301.tif 000020
【図１６】
2006107301.tif 000021
【図１７】
2006107301.tif 000022
【図１８】
2006107301.tif 000023
【図１９】
2006107301.tif 000024
【図２０】
2006107301.tif 000025
【図２１】
2006107301.tif 000026